(57)【要約】【課題】光学情報の読取り及びそのデータの処理等を可能とした装置であって、安価で、且つ、操作性，取扱い性に優れるものとする。【解決手段】光学情報読取装置１を、把持部６を有するハンドヘルド型のバーコードリーダ２と、市販のＰＤＡ３と、ＰＤＡ３を載置状に保持する受台４とを分離可能に結合して構成する。それらの結合状態で、ＰＤＡ３のコネクタ２１とバーコードリーダ２のコネクタ９とが、受台４の第１及び第２のコネクタ２９及び３０を介して接続される。それらコネクタは、交信用の信号端子及び電力供給用の電源端子を含み、バーコードリーダ２とＰＤＡ３との交信、及び電力供給が可能となる。バーコードリーダ２及びＰＤＡ３は、各々が有する電池により駆動可能であると共に、バーコードリーダ２に接続された外部電源から、両者の動作電力を得ることができる。【選択図】　図１
2004005164.tif 000002
【特許請求の範囲】
【請求項１】
光学情報を読取りそのデータを出力する機能を備えたハンドヘルド型の光学情報読取器と、
情報を入力し、該情報を処理して出力する機能を備えた携帯情報端末器と、
前記光学情報読取器と前記携帯情報端末器とを結合させる受台と、
前記光学情報読取器と前記携帯情報端末器との結合状態でそれらの間で交信を行う交信手段とを具備してなる光学情報読取装置であって、
前記光学情報読取器は、前記携帯情報端末器に動作電力を出力するための電源出力端子を備え、前記携帯情報端末器が備える電源入力端子を介して該携帯情報端末器に動作電力を供給することが可能に構成されていることを特徴とする光学情報読取装置。
【請求項２】
前記受台は、前記携帯情報端末器の電源入力端子に接続される第１の電源端子と、前記光学情報読取器の電源出力端子に接続される第２の電源端子と、それら両電源端子を接続する電源接続線とを備えて構成されていることを特徴とする請求項１記載の光学情報読取装置。
【請求項３】
前記受台には、前記第２の電源端子から入力された動作電力の電圧を、前記携帯情報端末器の動作に適した電圧に調整して前記第１の電源端子に出力する電圧調整部が設けられていることを特徴とする請求項２記載の光学情報読取装置。
【請求項４】
前記電圧調整部は、スイッチングレギュレータからなり、前記第２の電源端子から入力された動作電力により動作することを特徴とする請求項３記載の光学情報読取装置。
【請求項５】
前記受台は、外部電源に接続可能に構成され、前記外部電源から得られる動作電力を前記第１の電源端子を介して前記携帯情報端末器に供給することが可能に構成されていることを特徴とする請求項２ないし４のいずれかに記載の光学情報読取装置。
【請求項６】
前記交信手段は有線通信手段からなると共に、前記受台には、前記携帯情報端末器と光学情報読取器との間の有線通信のためにそれらの間を接続する第１及び第２のコネクタを備え、前記第１及び第２の電源端子は、夫々前記第１の及び第２のコネクタに含まれる一部の端子として構成されていることを特徴とする請求項２ないし５のいずれかに記載の光学情報読取装置。
【請求項７】
前記光学情報読取器は、前記携帯情報端末器が結合されたことを検出する結合検出手段を備え、その結合検出手段が該携帯情報端末器の結合を検出しているときに、動作電力を前記電源出力端子に出力するように構成されていることを特徴とする請求項１ないし６のいずれかに記載の光学情報読取装置。
【請求項８】
前記光学情報読取器及び携帯情報端末器は、各々を単独で動作可能とする電池を夫々備えており、前記光学情報読取器は、前記各電池の残容量から推定される各々の動作可能時間を比較し、前記携帯情報端末器の動作可能時間が自身の動作可能時間よりも短い場合に、動作電力を前記電源出力端子に出力するように構成されていることを特徴とする請求項１ないし７のいずれかに記載の光学情報読取装置。
【請求項９】
前記光学情報読取器は、外部電源から動作電力の供給を受けるための給電端子を有し、その給電端子を介して前記外部電源から動作電力の供給を受けているときには、その動作電力の一部を前記電源出力端子に出力するように構成されていることを特徴とする請求項１ないし８のいずれかに記載の光学情報読取装置。
【請求項１０】
前記光学情報読取器は、自身の動作電源となる電池を有し、前記外部電源から供給される電力によって前記電池を充電する充電部を備えることを特徴とする請求項９記載の光学情報読取装置。
【請求項１１】
前記給電端子は、前記光学情報読取器の把持部の下端部のコネクタの端子として設けられており、そのコネクタに着脱自在に接続された給電線を外部電源に接続することにより、動作電力の供給を受けるように構成されていることを特徴とする請求項９又は１０記載の光学情報読取装置。
【請求項１２】
前記コネクタは、その一部に前記光学情報読取器と外部の情報処理装置との間で有線通信を行うための信号端子を含んで構成されていることを特徴とする請求項１１記載の光学情報読取装置。
【発明の詳細な説明】
【０００１】
【発明の属する技術分野】
本発明は、バーコードや二次元コード等の光学情報を読取り、情報の処理を行うことが可能な携帯型の光学情報読取装置に関する。
【０００２】
【発明が解決しようとする課題】
近年、携帯型のバーコードリーダ等の光学情報読取器に、読取ったデータの収集や処理等の機能を付加した、バーコードハンディターミナル（ＢＨＴ）と称される装置が供されてきている。また、この種の光学情報読取器においては、把持部（ガングリップ）を有したハンドヘルド型（ガンタイプ）のものが、操作性の面で好まれるようになってきている。
【０００３】
そこで、この種の光学情報読取装置の第１の従来例として、特開平１１−３２８１２１号公報には、ＰＤＡのケース内にバーコード読取ユニットを一体的に組込んでＢＨＴを構成すると共に、ガングリップを取付けたものが示されている。また、第２の従来例として、特開平１０−２６９３３９号公報には、ＢＨＴにグリップ部を着脱可能に取付けるようにした構成のものが示されている。
【０００４】
しかしながら、上記第１の従来例にあっては、ＰＤＡにバーコードリーダの機能を組込むため、開発コスト，製品コストの高いものとなって実際の商品化は難しく、また、ユーザがバーコードリーダの機能を使用せずに、ＰＤＡ単体として使用したい場合に、大型で取扱いに不便なものとなる欠点があった。そして、上記した第２の従来例では、ＢＨＴ自体が比較的高価なものとなっていると共に、ＢＨＴからグリップ部を取外して使用する場合に、ＢＨＴ自体の携帯性や操作性において必ずしも扱いやすいものではなかった。
【０００５】
本発明は上記事情に鑑みてなされたもので、その目的は、光学情報の読取り及びそのデータの処理等を可能とした装置であって、安価で、且つ、操作性，取扱い性に優れる光学情報読取装置を提供するにある。
【０００６】
【課題を解決するための手段】
本発明者らは、小型で光学情報の読取り操作性に優れたハンドヘルド型の光学情報読取器（ガンスキャナ）と、小型，安価でありながら機能面に優れる（豊富なソフトウエアや周辺機器を利用できる）市販のＰＤＡ等の携帯情報端末器とを着脱自在に組合せる構成とすることにより、各々を単体として使用できることは勿論、組合せて使用することを着想した。この場合、交信手段により、光学情報読取器の読取りデータを携帯情報端末器に送信する等の交信が可能となり、いわゆるハンディターミナルとしての機能を実現することができるのであるが、更にその際の光学情報読取器及び携帯情報端末器の動作電力をどのように得るかの工夫を施すことにより、全体として使いやすく安価な装置とすることができることを確認し、本発明を成し遂げたのである。
【０００７】
即ち、本発明の請求項１の光学情報読取装置は、ハンドヘルド型の光学情報読取器と、携帯情報端末器と、それらを結合させる受台と、それらの間で交信を行うための交信手段とを具備し、更に光学情報読取器に、携帯情報端末器に動作電力を出力するための電源出力端子を設け、携帯情報端末器が有する電源入力端子を介して携帯情報端末器に動作電力の供給を可能に構成したところに特徴を有する。
【０００８】
これによれば、光学情報読取器と携帯情報端末器とを受台により結合することにより、それらを組合せたいわゆるハンディターミナルとして使用することができる。このとき、光学情報読取器は、ハンドヘルド型なので、組合せたものについても光学情報の読取りの操作性に優れたものとなる。これに対し、光学情報読取器と携帯情報端末器とを分離した状態で、光学情報読取器を単独で使用することができ、この場合、光学情報読取器は小型，軽量で済んで取扱い性に優れ、またハンドヘルド型であるので、操作性に優れたものとなる。一方、携帯情報端末器についても、単独で使用することができる。
【０００９】
また、光学情報読取器から、電源出力端子を介して携帯情報端末器に動作電力を供給することができるので、光学情報読取器と携帯情報端末器とを組合せて使用する場合、例えば携帯情報端末器の電池の残存容量が少なくなった場合でも、携帯情報端末器が別途に外部から動作電力を得ることなく済ませることができ、携帯情報端末器の状況等に応じて、必要な動作電力を光学情報読取器から供給することができる。
【００１０】
そしてこの場合、光学情報読取器自体を安価に済ませることができることは勿論、携帯情報端末器についても、市販のＰＤＡ等を使用することができ、やはり安価に済ませることができ、ひいては全体としても安価に構成することができるのである。ちなみに、現在のＢＨＴの価格は、１０〜２０万円程度であるのに対し、市販のＰＤＡや光学情報読取器（バーコードリーダ）の価格は、共に３〜５万円程度であり、市販のＰＤＡを用いれば、価格面での大幅なメリットを得ることができるのである。
【００１１】
このとき、より具体的には、受台に、携帯情報端末器の電源入力端子に接続される第１の電源端子と、光学情報読取器の電源出力端子に接続される第２の電源端子と、それら両電源端子を接続する電源接続線とを設ける構成とすることができる（請求項２の発明）。これにより、光学情報読取器の電源出力端子と携帯情報端末器の電源入力端子との接続を、別部品の接続ケーブルにより行うような場合と比べて、それらの接続構造が比較的簡単となり、また取扱い性を高めることができて接続作業の簡単化を図ることができる。
【００１２】
また、受台に、第２の電源端子から入力された動作電力の電圧を、携帯情報端末器の動作に適した電圧に調整して第１の電源端子に出力する電圧調整部を設けるようにすれば（請求項３の発明）、光学情報読取器と携帯情報端末器との間で駆動電圧が異なっていても動作電力の供給が可能となり、光学情報読取器と例えば市販の各種のＰＤＡとの組合せが可能となり、ひいては機能等の異なる複数種類の装置を容易に構成することができる。
【００１３】
この場合、電圧調整部を、スイッチングレギュレータから構成すると共に、第２の電源端子から入力された動作電力により動作するように構成することができ（請求項４の発明）、これにより、受台自身が、電圧調整部を動作させるための電源を備えることなく済ませることができる。
【００１４】
さらに、受台を、外部電源と接続可能に構成し、その外部電源から得られる動作電力を第１の電源端子を介して携帯情報端末器に供給することができるように構成することもできる（請求項５の発明）。これによれば、携帯情報端末器は、受台に保持された状態で、容易に動作電力の供給を受けることができるようになり、受台を、携帯情報端末器を光学情報読取器から分離した状態で使用する（あるいは携帯情報端末器の内蔵する電池を充電する）場合のクレードルとして用いることができる。
【００１５】
そして、携帯情報端末器と光学情報読取器との間で交信を行う交信手段を有線通信手段から構成するものにあっては、受台に、それら携帯情報端末器と光学情報読取器とを接続する第１及び第２のコネクタを設ける構成とすることができ、この際、第１及び第２の電源端子を、夫々第１の及び第２のコネクタに含まれる一部の端子として構成すれば（請求項６の発明）、第１及び第２のコネクタによって、携帯情報端末器と光学情報読取器との間での通信系及び電源系の双方の接続が一括して行われることになり、構成及び接続作業の簡単化を図ることができる。
【００１６】
上記光学情報読取器に、携帯情報端末器が結合されたことを検出する結合検出手段を設け、その結合検出手段が携帯情報端末器の結合を検出しているときに、動作電力を電源出力端子に出力するように構成することができる（請求項７の発明）。これにより、光学情報読取器から携帯情報端末器への動作電力の供給を、使用形態に応じて確実に行うことができる。
【００１７】
ところで、上記光学情報読取器及び携帯情報端末器は、通常、各々を単独で動作可能とする電池を備えていることが一般的である。この場合、光学情報読取器を、各電池の残容量から推定される各々の動作可能時間を比較し、携帯情報端末器の動作可能時間が自身の動作可能時間よりも短い場合に、動作電力を電源出力端子に出力するように構成することもできる（請求項８の発明）。これにより、光学情報読取器から携帯情報端末器への動作電力の供給を合理的に行うことができ、ハンディターミナル全体としての使用可能時間を長くすることができる。
【００１８】
そして、光学情報読取器が、給電端子を介して外部電源から動作電力の供給を受けているときには、その動作電力の一部を電源出力端子に出力するように構成することもでき（請求項９の発明）、これにより、外部電源から１箇所の給電端子を介して供給される動作電力によって全体を動作させることができる。この際、外部電源から供給される動作電力を用いて、光学情報読取器の内蔵する電池を充電部により充電する構成としても良く（請求項１０の発明）、電池の充電を効果的に行うことができる。
【００１９】
また、上記給電端子を、光学情報読取器の把持部の下端部に設けられるコネクタの端子として設け、そのコネクタに着脱自在に接続された給電線を外部電源に接続することにより、動作電力の供給を受けるように構成することができる（請求項１１の発明）。これにより、光学情報読取器の取扱い性を損ねることなく給電線を介して外部電源に接続することができ、また簡単な構成で外部電源から動作電力の供給を受けることができる。
【００２０】
さらにこのとき、コネクタを、その一部に光学情報読取器と外部の情報処理装置との間で有線通信を行うための信号端子を含んで構成すれば（請求項１２の発明）、１個のコネクタによって、光学情報読取器と外部の情報処理装置との間での通信接続、及び、光学情報読取器と外部電源との接続が一括して行われることになり、構成の簡単化を図ることができる。
【００２１】
【発明の実施の形態】
以下、本発明を具体化したいくつかの実施例について、図面を参照しながら説明する。
（１）第１の実施例
まず、本発明の第１の実施例について、図１ないし図６を参照しながら説明する。図１は、本実施例に係る光学情報読取装置１の外観を示し、図２は、この光学情報読取装置１の電気的構成を概略的に示している。尚、図２では、信号の流れを細線の矢印、電気（動作電力）の流れを太線の矢印で示している。
【００２２】
この光学情報読取装置１は、光学情報読取器たるハンドヘルド型のバーコードリーダ２（ガンスキャナ）と、携帯情報端末器たる市販のＰＤＡ３と、このＰＤＡ３を載置状に保持すると共に前記バーコードリーダ２に結合させる受台４とを分離可能に組合せて構成され、その組合せ状態で、バーコードの読取り及び読取ったデータの処理，収集等を行うことが可能な、いわゆるバーコードハンディターミナル（ＢＨＴ）として機能するようになっている。
【００２３】
そのうち、まず、バーコードリーダ２は、前後方向（図１などで左右方向）にやや長い矩形箱状をなす本体部５の下面側に、その後部側から下方やや斜め後方に延びる把持部（ガングリップ）６を一体的に有して構成されている。前記把持部６の前面上部側には、トリガキー７が設けられている。また、前記本体部５の前面部には読取窓５ａが設けられ、内部には読取手段たる画像読取部８（図２にのみ図示）が設けられている。図示はしないが、この画像読取部８は、光学情報たるバーコードＢ（図１（ｂ），図３参照）に対して横方向に延びる細長い照明光を照射する照明部、バーコードＢからの反射光を撮像するための結像レンズ及びＣＣＤセンサ等からなる周知構成を備えている。
【００２４】
また、前記本体部５の上面部には、後述する受台４を着脱可能に結合するための嵌合部（図示せず）が設けられていると共に、交信手段の一部を構成する有線通信用のコネクタ９（図１（ａ）参照）が設けられている。尚、このバーコードリーダ２は、図１（ｂ）及び図３に示すように、離れた位置（例えば３０ｍｍ以上）のバーコードＢの読取りが可能とされ、また、その際の読取範囲が光表示されるようになっている。
【００２５】
そして、図２に示すように、このバーコードリーダ２内には、マイコンを主体として構成され全体の制御を行う制御部１０が設けられている。この制御部１０には、前記画像読取部８が接続されていると共に、前記トリガキー７の信号が入力されるようになっている。この制御部１０には、前記コネクタ９を介して前記ＰＤＡ３との間で有線通信にて交信を行う交信手段を構成する通信Ｉ／Ｆ１１が接続され、前記画像読取部８により読取ったデータが前記ＰＤＡ３に出力されるようになっている。
【００２６】
また、このバーコードリーダ２内には、自身の駆動電源となる二次電池１２が設けられており、前記制御部１０により制御される電源制御部１３を介して各部に動作電力を供給できるようになっている。そして、本実施例では、前記ＰＤＡ３に対して動作電力を供給するための電源Ｉ／Ｆ１４が設けられている。この電源Ｉ／Ｆ１４からの動作電力の供給は、後述するように、制御部１０により前記電源制御部１３を介して制御されるようになっている。
【００２７】
このとき、詳しく図示はしていないが、前記電源Ｉ／Ｆ１４は、電源出力端子から動作電力を出力するようになっており、本実施例では、その電源出力端子は、前記コネクタ９の一部の端子として構成されていて、前記電源Ｉ／Ｆ１４は、前記コネクタ９を介して前記ＰＤＡ３に動作電力を供給するようになっている。つまり、１個のコネクタ９が通信用（信号用）及び電源用に共用されるようになっている。
【００２８】
さらに、このバーコードリーダ２には、例えばパソコン等の外部の情報処理装置１５との間で交信するための外部有線通信手段として機能すると共に、ＡＣアダプタ１６を介して外部電源から動作電力の供給を受けるための接続ケーブルＩ／Ｆ１７が設けられている。この接続ケーブルＩ／Ｆ１７は、前記把持部６の下端部にコネクタ１７ａ（図１（ａ）参照）を有しており、図示はしないが、そのコネクタ１７ａの一部の端子が給電端子とされ、残りの端子が信号端子とされている。従って、前記コネクタ１７ａ（接続ケーブルＩ／Ｆ１７）も、通信用（信号用）及び電源用に共用されるようになっている。
【００２９】
図３に示すように、前記コネクタ１７ａには、前記ＡＣアダプタ１６に接続された給電線と信号線とを含んだケーブル１８が着脱可能に接続されるようになっている。これにて、バーコードリーダ２は、ケーブル１８を介して、外部の情報処理装置１５及びＡＣアダプタ１６と接続され、もって、バーコードリーダ２（及びＰＤＡ３）と前記外部情報処理装置１５との間で交信（有線通信）を行うことができるようになっていると共に、外部電源から動作電力の供給を受けることができるようになっており、この外部電源を駆動電源とすることもできるようになっている。
【００３０】
そしてこのとき、後述するように、バーコードリーダ２は、電源制御部１３の制御によって、電池１２から、あるいは、外部電源から供給される動作電力を、前記電源Ｉ／Ｆ１４（電源出力端子）からＰＤＡ３に出力することができるようになっている。尚、図示は省略しているが、このバーコードリーダ２には、前記電池１２を充電するための充電部が設けられており、前記外部電源から供給される動作電力によって電池１２の充電を行えるようになっている。
【００３１】
また、これも後述するように、バーコードリーダ２（制御部１０）は、ＰＤＡ３が結合されているかどうかを検出する機能（結合検出手段）を備えており、その検出に応じて読取りデータの送信等を制御するようになっている。これと共に、バーコードリーダ２は、接続ケーブルＩ／Ｆ１７に外部電源が接続されているかどうかを検出する機能（接続検出手段）を備えており、その検出に基づいて、自身の駆動を、電池１２により行うか、外部電源により行うかを選択するようになっている。さらに、バーコードリーダ２は、前記電池１２の残容量を検出する機能を備え、またその残容量から自らの動作可能時間（電池駆動可能な残り時間）を推定する機能を備えている。
【００３２】
一方、前記ＰＤＡ３は、図３，図４にも示すように、全体として薄形の矩形状をなし、その表面（正面）には、例えばＬＣＤからなる表示部１９が設けられていると共に、その下側に位置して、複数の操作キーを有する操作部２０が設けられている。また、図１（ａ）に示すように、ＰＤＡ３の下面部には、前記バーコードリーダ２と交信を行う交信手段を構成する有線通信用のコネクタ２１が設けられている。尚、このＰＤＡ３としては、市販の各種のＰＤＡから用途等に適したものを選んで用いることができる。
【００３３】
図２に示すように、このＰＤＡ３内には、マイコンを主体として構成され全体の制御や各種のデータ処理を行うための制御部２２が設けられている。この制御部２２は、前記表示部１９の表示制御を行うと共に、前記操作部２０の操作信号が入力されるようになっている。また、この制御部２２には、各種のプログラムやデータを記憶する記憶部２３が接続されている。そして、前記制御部２２には、前記バーコードリーダ２から出力されたデータを前記コネクタ２１を介して入力するための交信手段を構成する通信Ｉ／Ｆ２４が接続されていると共に、図４に示すようにパソコン等の外部情報処理装置１５との間での通信を行うための外部通信用Ｉ／Ｆ２５が接続されている。
【００３４】
また、このＰＤＡ３内には、二次電池２６が設けられており、前記制御部２２により制御される電源制御部２７を介して各部に駆動電源を供給するようになっている。そして、このＰＤＡ３には、外部から動作電力の供給を受けるためのための電源Ｉ／Ｆ２８も設けられている。この電源Ｉ／Ｆ２８は、電源入力端子を備えており、本実施例では、その電源入力端子は、前記コネクタ２１の一部の端子として構成され、もって、１個のコネクタ２１が通信用（信号用）及び電源用に共用されるようになっている。
【００３５】
これにて、ＰＤＡ３は、前記電池２６あるいは電源Ｉ／Ｆ２８（電源入力端子）から入力される外部からの動作電力を駆動電源として動作し、入力されたデータの各種の処理、記憶、表示、外部へのデータ出力等を行うようになっている。尚、図示はしないが、このＰＤＡ３も、電池２６の充電を行うための充電部を備えており、外部から供給される動作電力によって電池２６の充電を行えるようになっている。また、このＰＤＡ３は、電池２６の残容量を検出する（ひいては動作可能時間を推定する）機能も備えている。
【００３６】
これに対し、前記受台４は、次のように構成されている。即ち、この受台４は、図１等に示すように、前記ＰＤＡ３が載置される載置板部４ａの基端側（図１で右端側）に、受容部４ｂを有すると共に、先端側に、脱落防止部（図示せず）を有して構成される。前記載置板部４ａは、前記ＰＤＡ３のうち上端側部分を除く部位を受支える大きさの平板状をなし、前記受容部４ｂは、図４にも示すように、載置板部４ａの上面側に、前記ＰＤＡ３の下部が差込まれることにより、該ＰＤＡ３の下部の正面及び背面、左右の側面及び下面を受けて拘束するポケット状に構成されている。
【００３７】
図示はしないが、前記脱落防止部は、前記載置板部４ａに対して回動可能に取付けられ、受容部４ｂに差込まれたＰＤＡ３の上部を係止して脱落を防止する係止位置と、その係止を解いてＰＤＡ３の下部の受容部３２に対する差込み及び抜出しを自在とする解放位置との間を移動させることができるようになっている。これにて、ＰＤＡ３は、受台４に着脱可能に保持されるようになっており、その保持状態では、図４に示すように、その表示部１９及び操作部２０が露出するようなっている。
【００３８】
また、前記脱落防止部は、前記載置板部４ａの下面側に一杯に回動させた状態で、受台４ひいてはＰＤＡ３をを水平な台上に斜めに立てるための支持脚として機能するようになっている。そして、図１（ａ）に示すように、前記受容部４ｂの奥部（内部）には、第１のコネクタ２９が設けられており、ＰＤＡ３の下部を受容部４ａに差込んだ状態で、ＰＤＡ３のコネクタ２１がその第１のコネクタ２９に差込み接続されるようになっている。
【００３９】
さらに、この受台４（載置板部４ａ）の下面部には、図１（ａ）に示すように、第２のコネクタ３０が設けられていると共に、前記バーコードリーダ２の本体部５の上面の嵌合部と嵌合する図示しない被嵌合部が設けられている。これにて、例えば前後方向へのスライドによりそれら嵌合部と被嵌合部とが嵌合することによって、バーコードリーダ２と受台４（ＰＤＡ３）とが着脱可能に結合されるようになっている。このとき、図１（ａ）に示すように、受台４の第２のコネクタ３０が、バーコードリーダ２のコネクタ９に差込み接続されるようになっている。
【００４０】
そして、図２に示すように、この受台４は、前記ＰＤＡ３の電源Ｉ／Ｆ２８とを接続される電源Ｉ／Ｆ３３が設けられていると共に、前記バーコードリーダ２の電源Ｉ／Ｆ１４と接続される電源Ｉ／Ｆ３２が設けられている。詳しく図示はしないが、前記電源Ｉ／Ｆ３３は、前記第１のコネクタ２９の一部の端子として設けられる第１の電源端子を有し、電源Ｉ／Ｆ３２は、前記第２のコネクタ３０の一部の端子として設けられる第２の電源端子を有している。第１のコネクタ２９と第２のコネクタ３０との間は、前記第１及び第２の電源端子を接続する電源接続線と、両コネクタ２９，３０の残りの信号端子間を接続する信号線とにより接続される。従って、第１のコネクタ２９と第２のコネクタ３０も、通信用（信号用）及び電源用に共用されるようになっている。
【００４１】
これにて、バーコードリーダ２とＰＤＡ３との結合状態で、受台４を介してそれらの間での交信が可能とされると共に、バーコードリーダ２の電源出力端子とＰＤＡ３の電源入力端子との接続がなされ、バーコードリーダ２からＰＤＡ３に対して動作電力を供給することができるようになっている。また、この受台４は、図４にも示すように、外部電源から電力供給を受けるためのＡＣアダプタ３５が接続可能とされており、その接続状態で、前記電源Ｉ／Ｆ３３（第１の電源端子）から前記ＰＤＡ３に対して動作電力を供給することができるようになっている。
【００４２】
このとき、本実施例では、第１のコネクタ２９と第２のコネクタ３０との間の信号線の途中部に、それらの間の入出力信号を変換する信号変換回路３１が設けられている。これにて、バーコードリーダ２とＰＤＡ３との間で通信仕様が異なっていてもそれらの間の交信が可能とされるようになっている。
【００４３】
さらに、この受台４には、電源Ｉ／Ｆ３２と電源Ｉ／Ｆ３３との間の電源線の途中部に、例えばスイッチングレギュレータからなる電圧調整部たる電圧変換回路３４が設けられている。これにて、電源Ｉ／Ｆ３２を介してバーコードリーダ２から供給された動作電力を、ＰＤＡ３の定格に応じた電圧に変換した上で、電源Ｉ／Ｆ３３を介してＰＤＡ３に供給することができるようになっているのである。尚、前記電圧変換回路３４（及び信号変換回路３１）は、前記バーコードリーダ２のコネクタ９（電源出力端子）から、第２のコネクタ３０（第２の電源端子）を介して供給される動作電力により動作するようになっている。
【００４４】
さて、後の作用説明でも述べるように、本実施例においては、バーコードリーダ２の制御部１０は、そのソフトウエア的構成により、次のようにして、自身の動作電力を得るための駆動電源を選択するようになっていると共に、前記ＰＤＡ３に対する動作電力の供給、つまり電源Ｉ／Ｆ１４（電源出力端子）からの動作電力の出力を制御するようになっている。
【００４５】
即ち、バーコードリーダ２は、外部電源が接続されていないときには、自身の有する電池１２を駆動電源として使用するのであるが、ＡＣアダプタ１６を介して外部電源が接続されているときには、外部電源を優先して使用するようになっている。また、外部電源が接続されており、且つＰＤＡ３が結合されているときには、外部電源から供給される電力の一部を電源Ｉ／Ｆ１４（電源出力端子）からＰＤＡ３に出力するようになっている。尚、バーコードリーダ２は、外部電源が接続されているときに、自身の動作停止状態で、電池１２の充電も行うようになっている。
【００４６】
このとき本実施例では、図示はしないが、バーコードリーダ２は、コネクタ１７ａの給電端子の電圧（電位）を検出する電圧検出部を備え、その電圧検出部の検出に基づいて接続ケーブルＩ／Ｆ１７に外部電源が接続されているかどうかを判断するようになっている。また、バーコードリーダ２にＰＤＡ３が結合されていることを検出する結合検出手段は、次のように構成されている。
【００４７】
即ち、図５に示すように、バーコードリーダ２の制御部１０は、電源ＯＮ時において、前記通信Ｉ／Ｆ１１からテスト信号ａを送信するように構成されている。一方、ＰＤＡ３の制御部２２は、やはりそのソフトウエア的構成により、前記通信Ｉ／Ｆ２４を介してテスト信号ａを受信すると、所定の応答信号ｂを通信Ｉ／Ｆ２４から送信するようになっている。そして、バーコードリーダ２の制御部１０は、テスト信号ａを送信してから一定時間Ｔ以内に、通信Ｉ／Ｆ１１を介して応答信号ｂを受信したときに、ＰＤＡ３が結合されていると判断するように構成されている。
【００４８】
さらに、バーコードリーダ２は、外部電源が接続されていない状態、つまり電池駆動が選択されている状態で、ＰＤＡ３が結合されているときには、自身の電池１３の残容量から推定される動作可能時間ｔ２と、該ＰＤＡ３との交信によって得られたＰＤＡ３（電池２６）の推定動作可能時間ｔ１とを比較し、ＰＤＡ３の動作可能時間ｔ１がバーコードリーダ２自身の動作可能時間ｔ２よりも短い場合に、電池１２から得られる電力の一部を電源Ｉ／Ｆ１４（電源出力端子）からＰＤＡ３に出力するようになっている。
【００４９】
従って、前記ＰＤＡ３は、バーコードリーダ２に結合されている状態で、外部からの動作電力が、電源Ｉ／Ｆ２８（電源入力端子）を介して入力される場合には、それを優先して駆動電源とするようになっており、それ以外の場合に、自身の電池２６を駆動電源として使用するようになっている。また、上述のように、バーコードリーダ２と分離されている場合でも、受台４（ＡＣアダプタ３５）を介して外部電源から電力供給を受けることができるようになっている。尚、このＰＤＡ３においても、外部電源と接続されているときには、自身の動作停止状態で、電池２６の充電を行うようになっている。
【００５０】
次に、上記構成の作用について、図６も参照して述べる。上記構成においては、上述のように、ＰＤＡ３を受台４に結合し（保持させ）、受台４をバーコードリーダ２に結合することにより、光学情報読取装置１を構成することができる。この際、ＰＤＡ３を受台４に結合するにあたっては、ユーザは、受台４の受容部４ｂにＰＤＡ３の下部を差込むようにし、その後、脱落防止部を係止位置に移動させるといった簡単な作業を行うだけで、容易にＰＤＡ３を受台４に保持させることができる。この場合、ＰＤＡ３側に結合のための特別な構成を付加することもなく、比較的簡単な構成で済ませながらも確実に結合することができる。さらに、受台４をバーコードリーダ２に結合するにあたっても、被嵌合部を嵌合部にスライドにより嵌合させるという比較的簡単な構成で済み、またその結合作業も容易である。
【００５１】
しかも、受容部４ｂに対するＰＤＡ３の差込みにより、第１のコネクタ２９とコネクタ２１とがいわば自動的に接続され、また、バーコードリーダ２に対する受台４の嵌合により、第２のコネクタ３０とコネクタ９とがいわば自動的に接続されるというように、機械的結合だけでなく、電気的な接続も同時に行われるので、それらコネクタ間の結合作業を別途に行う必要もない。このとき、各コネクタの接続により、信号系及び電源系の双方の接続が一括して行われるので、接続構造が簡単となり、取扱い性が良好となって接続作業の簡単化を図ることができる。
【００５２】
この光学情報読取装置１は、バーコードリーダ２上にＰＤＡ３が受台４を介して載置された如き状態に連結されると共に、通信Ｉ／Ｆ１１，コネクタ９，第２のコネクタ３０，第１のコネクタ２９，コネクタ２１，通信Ｉ／Ｆ２４からなる交信手段によりバーコードリーダ２とＰＤＡ３との間の交信（データ通信）が可能に接続され、いわゆるバーコードハンディターミナルとして構成される。この場合、前記受台４の第１のコネクタ２９と第２のコネクタ３０との間には信号変換回路３１が設けられているので、バーコードリーダ２とＰＤＡ３との間で通信仕様が異なっている場合でも通信が可能となる。
【００５３】
これにより、図１（ｂ）に示すように、光学情報読取装置１のバーコードリーダ２によりバーコードＢを読取り、その読取りデータをＰＤＡ３に送信して処理，蓄積等を行うことができる。尚、この読取り時には、ユーザは、バーコードリーダ２の把持部６を握って操作すれば良く、操作しやすいものとなり、また、離れた位置のバーコードＢの読取りも容易となる。
【００５４】
また、図３に示すように、バーコードリーダ２の接続ケーブルＩ／Ｆ１７を介して光学情報読取装置１を外部情報処理装置１５に接続して使用することができる。この場合、ＰＤＡ３からバーコードリーダ２に対して情報送信要求を送信することに基づき、ＰＤＡ３のデータを、バーコードリーダ２を介して外部情報処理装置１５に送信することができる。この外部情報処理装置１５からのデータを、バーコードリーダ２を介してＰＤＡ３に入力することも可能である。
【００５５】
一方、本実施例に係る光学情報読取装置１は、バーコードリーダ２とＰＤＡ３とを分離して、各々を単独で使用することも可能である。バーコードリーダ２にあっては、図３に示すように、単独でバーコードＢの読取りを行い、読取ったデータを外部情報処理装置１５に送信して処理することができる。この際も、ユーザは把持部６を持ってバーコードリーダ２を操作することができ、良好な操作性を得ることができる。これに対し、ＰＤＡ３は、単独であるいは受台４に保持された状態で使用することが可能となり、この際、ＰＤＡ３を、外部通信用Ｉ／Ｆ２５を介して外部情報処理装置１５と接続して使用することも可能である。
【００５６】
さて、上記光学情報読取装置１を構成するバーコードリーダ２及びＰＤＡ３（並びに受台４）は、電池１２及び２６、あるいは接続される外部電源を駆動電源として使用することができるのであるが、このとき、バーコードリーダ２の制御部１０は、図６のフローチャートに示す手順で、自身の駆動電源を選択するようになっている。
【００５７】
即ち、まず、ステップＳ１では、ＰＤＡ３が結合状態にあるかどうかが判断される。この結合検出は、上述のように、制御部１０が、テスト信号ａを送信後、一定時間Ｔ内に応答信号ｂを受信したかどうかによりなされる。ＰＤＡ３が結合されていないと判断した場合には（ステップＳ１にてＮｏ）、次のステップＳ２にて、ＰＤＡ３に対する電力供給（コネクタ９の電源出力端子からの電力の出力）が停止状態とされる。
【００５８】
そして、次のステップＳ３では、バーコードリーダ２の接続ケーブルＩ／Ｆ１７にＡＣアダプタ１６を介して外部電源が接続されているかどうかが判断される。外部電源が接続されていない場合には（ステップＳ３にてＮｏ）、ステップＳ４にて、電池１２を駆動電源とすることが選択される。外部電源が接続されている場合には（ステップＳ３にてＹｅｓ）、ステップＳ５にて、その外部電源を駆動電源とすることが選択される。
【００５９】
これにて、バーコードリーダ２を単独で使用する場合には、外部電源が接続されているときには、バーコードリーダ２は、外部電源から供給される動作電力によって動作するようになっており、また、外部電源から供給される動作電力によって電池１２の充電もなされる。外部電源が接続されていなければ、バーコードリーダ２は、電池１２からの電力によって動作する。また、この場合には、コネクタ９の電源出力端子に電力が供給されることもない。
【００６０】
尚、この場合、ＰＤＡ３についても単独で使用でき、その際には、内蔵する電池２６を電源として用いることができる。またこのとき、図４に示すように、受台４を通常のＰＤＡ３のクレードルとして機能させることができるのであるが、ＰＤＡ３は、受台４に保持された状態で、受台４に接続されたＡＣアダプタ３５を介して外部電源から動作電力（あるいは電池２６の充電用の電力）を得ることもできる。
【００６１】
これに対し、バーコードリーダ２にＰＤＡ３が結合されている場合には（ステップＳ１にてＹｅｓ）、ステップＳ６にて、やはり、バーコードリーダ２に外部電源が接続されているかどうかが判断される。外部電源が接続されている場合には（ステップＳ６にてＹｅｓ）、ステップＳ７にて、その外部電源を駆動電源とすることが選択され、これと共に、ステップＳ８にて、ＰＤＡ３に対する電力供給（コネクタ９の電源出力端子からの電力の出力）がなされるようになる。
【００６２】
これにより、バーコードリーダ２が外部電源から供給される動作電力によって動作するようになり、これと共に、その電力の一部が、受台４（電源Ｉ／Ｆ３２，３３）を介して、ＰＤＡ３のコネクタ２３の電源入力端子を介してＰＤＡ３に供給され、もって、ＰＤＡ３についてもその外部電源により動作（あるいは電池２６を充電）するようになる。またこのとき、受台４に設けられている電圧変換回路３４により、バーコードリーダ２とＰＤＡ３との間で駆動電圧が異なっていても、バーコードリーダ２から供給された電力を、ＰＤＡ３の定格に応じた電圧に変換した上でＰＤＡ３に供給することができる。さらには、受台４の電圧変換回路３４（及び信号変換回路３１）の動作電力も、バーコードリーダ２を介して外部電源から得ることができる。
【００６３】
これにて、バーコードリーダ２の接続ケーブルＩ／Ｆ１７（給電端子）に外部電源が接続されている場合には、その１個の外部電源により、光学情報読取装置１を構成するバーコードリーダ２及びＰＤＡ３（並びに受台４）の全てを駆動（及び電池１２，２６を充電）することができるのである。また、受台４に電圧変換回路３４を設けたことにより、バーコードリーダ２と例えば市販の各種のＰＤＡ３との組合せが可能となる。
【００６４】
一方、外部電源が接続されていない場合には（ステップＳ６にてＮｏ）、ステップＳ９にて、電池１２を駆動電源とすることが選択される。さらにこの場合には、次のステップＳ１０にて、自身の電池１３の残容量から推定される動作可能時間ｔ２と、ＰＤＡ３との交信によって得られたＰＤＡ３（電池２６）の推定動作可能時間ｔ１とが比較される。
【００６５】
そして、ＰＤＡ３の動作可能時間ｔ１がバーコードリーダ２自身の動作可能時間ｔ２以上である場合には（ステップＳ１１にてＮｏ）、次のステップＳ１２にて、ＰＤＡ３に対する電力供給（コネクタ９の電源出力端子からの電力の供給）が停止状態とされる。これにて、バーコードリーダ２及びＰＤＡ３は、各々が内蔵する電池１２及び２６を駆動電源として用いることになる。
【００６６】
これに対し、ＰＤＡ３の動作可能時間ｔ１がバーコードリーダ２自身の動作可能時間ｔ２よりも短い場合には（ステップＳ１１にてＹｅｓ）、ステップＳ８に進んで、ＰＤＡ３に対する電力供給がなされる、つまり電池１２から得られる電力の一部を電源Ｉ／Ｆ１４（電源出力端子）からＰＤＡ３に出力するようになっている。これにて、バーコードリーダ２の電池１２からＰＤＡ３への動作電力の供給を合理的に行うことができ、全体としての使用可能時間を長くすることができるのである。
【００６７】
このように本実施例によれば、小型でバーコードＢの読取り操作性に優れたハンドヘルド型のバーコードリーダ２と、小型，安価でありながら機能面に優れる（豊富なソフトウエアや周辺機器を利用できる）市販のＰＤＡ３とを着脱自在に組合せる構成とすることにより、各々を単体として使用できることは勿論、それらを組合せて、バーコードＢの読取り及びそのデータの処理等を可能としたいわゆるハンディターミナルとして使用することができる。この場合、バーコードリーダ２とＰＤＡ３とを結合して使用する場合にあっても、それらを分離して各々を単独で使用する場合にあっても、取扱い性、操作性に優れたものとなる。
【００６８】
そして、バーコードリーダ２自体を安価に済ませることができることは勿論、受台４についてもさほどコストのかからないものとなり、さらには、市販のＰＤＡ３を使用することができるので、全体として安価な装置として構成することができるものである。しかも、本実施例では、バーコードリーダ２及びＰＤＡ３の動作電力をどのように得るかに関しての各種の工夫を施したことにより、バーコードリーダ２及びＰＤＡ３の組合せ状況（使用形態）に応じて、必要な動作電力を合理的な形態で供給することができると共に、そのための構成も比較的簡単に済み、接続作業等も容易となるといった効果を得ることができる。
【００６９】
また、特に本実施例では、受台４に電圧変換回路３４を設けるようにしたので、バーコードリーダ２とＰＤＡ３との間で定格電圧が異なっていても電力供給が可能となり、バーコードリーダ２と例えば市販の各種のＰＤＡとの組合せが可能となって、機能等の異なる複数種類の装置を容易に構成することができるといった利点も得ることができる。
【００７０】
（２）第２の実施例
次に、図７ないし図９を参照して、本発明の第２の実施例について述べる。尚、以下に述べる各実施例は、全て上記した第１の実施例の変形例とでもいうべきものであり、従って、上記第１の実施例と同一部分については、同一符号を付して詳しい説明や新たな図示を省略することとし、以下、異なる点についてのみ述べることとする。
【００７１】
この第４の実施例では、主として、バーコードリーダ２の電源系及び通信系の電気的構成が上記第１の実施例と相違しており、それらがいわばバス構造とされていてバーコードリーダ２とＰＤＡ３とでそのバスを共用するようになっている。また、この実施例では、バーコードリーダ２がＰＤＡ３の結合を検出するための結合検出手段として、結合センサ４１を設けるようにしている。
【００７２】
まず、結合センサ４１について述べる。図７に示すように、この結合センサ４１は、投光部４１ａ及び受光部４１ｂを有する反射型光電センサから構成され、バーコードリーダ２の本体部５の上面部に設けられている。これに対し、前記ＰＤＡ３の裏面側の対応する位置には、例えば銀色のテープ等からなる反射部４２が設けられている。
【００７３】
この場合、結合センサ４１は、ＰＤＡ３がバーコードリーダ２に対して所定の位置関係（正しく結合された位置）にあるときに、受台４に形成された図示しない穴部を介して投光部４１ａと反射部４２とが上下に対向し、受光部４１ｂが作動状態を示す信号を出力するようになっている。図８にのみ示すように、その結合センサ４１の信号は、制御部１０に入力され、もって制御部１０はＰＤＡ３の結合を判断できるように構成されている。
【００７４】
そして、バーコードリーダ２の通信系は、図７に示すようなバス構造を備えて構成されている。即ち、図７に示すように、通信用Ｉ／Ｆ１１と接続ケーブルＩ／Ｆとを接続する信号線は、第１のバスライン４３とされており、その第１のバスライン４３の途中部から分岐して制御部１０に接続される第２のバスライン４４が設けられ、この第２のバスライン４４の途中部に、信号線制御部４５が挿設されている。
【００７５】
この信号線制御部４５は、前記制御部１０により制御され、バーコードリーダ２とＰＤＡ３との間で交信を行うとき、及び、バーコードリーダ２と外部情報処理装置１５との間で交信を行うときには、第１のバスライン４３及び第２のバスライン４４が用いられる。これに対し、ＰＤＡ３と外部情報処理装置１５との間で交信を行うときには、第１のバスライン４３のみが用いられるようになっている。これにて、第１のバスライン４３を、ＰＤＡ３が外部情報処理装置１５と直接的に交信するために使用させることができるようになっているのである。
【００７６】
さて、図８は、バーコードリーダ２の電源制御部１３及びＰＤＡ３の電源制御部２７の具体的な構成を示しており、バーコードリーダ２及びＰＤＡ３の電源系は、以下のように構成されている。即ち、まず、バーコードリーダ２においては、接続ケーブルＩ／Ｆ１７（コネクタ１７ａ）の給電端子４６と、電源Ｉ／Ｆ１４（コネクタ９）の電源出力端子４７との間が、電源ライン４８により接続されているのであるが、この電源ライン４８には、切替スイッチ４９及びオン・オフスイッチ５０が直列に挿設されている。
【００７７】
そして、切替スイッチ４９とオン・オフスイッチ５０との接続点には、電源スイッチ５１が接続されている。この電源スイッチ５１は、ユーザの操作によりオン，オフされ、そのオン状態で、バーコードリーダ２の各部に動作電力が供給されるようになっている。尚、この図８では、各スイッチのオンの状態を図示している。
【００７８】
このとき、前記切替スイッチ４９は、前記給電端子４６に接続された外部電源側接点４９ａと、電池１２に接続された電池側接点４９ｂとを備え、制御部１０の制御により、接続を切替えるように構成されている。また、前記オン・オフスイッチ５０は、やはり制御部１０の制御により、前記電源線４８を電源出力端子４７に接続するオン状態と、切離すオフ状態とを切替えるようになっている。
【００７９】
さらに、前記給電端子４６には、該給電端子４６の電圧を検出する電圧検出部５２が接続され、その検出信号が制御部１０に入力され、もって外部電源の接続が検出されるようになっている。また制御部１０には、上記結合センサ４１の検出信号が入力されるようになっている。尚、バーコードリーダ２には、制御部１０により制御され前記電池１２の充電を行う充電部たる充電制御回路５３も設けられている。
【００８０】
一方、前記ＰＤＡ３においては、バーコードリーダ２との結合状態で、電源出力端子４７が、受台４の第２の電源端子５４及び第１の電源端子５５を介して、前記電源Ｉ／Ｆ２８（コネクタ２１）の電源入力端子５６に接続されるようになっている。この電源入力端子５６は、切替スイッチ５７の外部電源側接点５７ａに接続されており、前記切替スイッチ５７の電池側接点５７ｂに電池２６が接続されている。この切替スイッチ５７は、制御部２２により接点の切替えがなされるようになっている。
【００８１】
また、切替スイッチ５７には、電源スイッチ５８が接続されている。この電源スイッチ５８は、ユーザの操作によりオン，オフされ、そのオン状態で、ＰＤＡ３の各部に動作電力が供給されるようになっている。さらに、このＰＤＡ３には、電源入力端子５６の電圧を検出する電圧検出部５９が接続され、その検出信号が制御部２２に入力され、もって電源入力端子５６に対する電力の供給が検出されるようになっている。尚、図示は省略しているが、ＰＤＡ３には、制御部２２により制御され前記電池２６の充電を行う充電制御回路も設けられている。
【００８２】
これにて、上記第１の実施例で説明したと同様に、バーコードリーダ２の制御部１０は、電源スイッチ１のオン時に、電圧検出部５２によって外部電源の接続を検出しているときには、切替スイッチ４９を外部電源側接点４９ａとして、外部電源を駆動電源として各部を駆動し、また、充電制御部５３を制御して電池１２の充電も行うようになっている。さらに、結合センサ４１によりＰＤＡ３が結合されていることを検出しているときには、オン・オフスイッチ５０をオン状態として、外部電源から供給される電力の一部を電源出力端子４７からＰＤＡ３に対して出力するようになっている。
【００８３】
これに対し、制御部１０は、外部電源の接続が検出されていないときには、切替スイッチ４９を電池側接点４９ｂに切替えて自身の有する電池１２を駆動電源として使用するようになっている。また、このとき結合センサ４１によりＰＤＡ３が結合されていることを検出している場合には、ＰＤＡ３の推定動作可能時間ｔ１がバーコードリーダ２自身の推定動作可能時間ｔ２よりも短い場合に、オン・オフスイッチ５０をオン状態として、電池１２から得られる電力の一部をＰＤＡ３に出力するようになっている。またＰＤＡ３の推定動作可能時間ｔ１がバーコードリーダ２自身の推定動作可能時間ｔ２以上の場合には、オン・オフスイッチ５０をオフ状態とする。尚、制御部１０は、結合センサ４１によりＰＤＡ３が結合されていることを検出していないときには、常にオン・オフスイッチ５０をオフ状態とするようになっている。
【００８４】
一方、ＰＤＡ３においては、制御部２２は、電圧検出部５９により、電源入力端子５６に電力の供給があることが検出されたときには、切替スイッチ５７の外部電源側接点５７ａとして、外部電源を駆動電源として各部を駆動し、また、充電制御部を制御して電池２６の充電も行うようになっている。そして、電源入力端子５６に電力の供給があることが検出されない状態では、切替スイッチ５７を電池側接点５７ｂに切替えて自身の有する電池２６を駆動電源として使用するようになっている。
【００８５】
（３）その他の実施例
図１０及び図１１は、本発明の第３の実施例を示すもので、上記第１の実施例と異なるところは、受台６１（受容部６１ａ）の表面部に、数字キー（テンキー）を備えた操作部６２を設けた点にある。この場合、図１１に示すように、操作部６２から入力された数値データは、第１のコネクタ２９を介してＰＤＡ３に入力されるようになっており、従って、ＰＤＡ３は、受け台６１との結合により、自らが元々有する操作部２０と、受台６１の有する操作部６２との双方を操作部として有した形態とされる。
【００８６】
これにより、ＰＤＡ３の操作部２０が数字キー（テンキー）を有していないタイプのものであっても、ＰＤＡ３に対し、操作部６２により、ユーザが容易に数値データを入力することが可能となり、例えば光学情報読取装置１を商品の棚卸しに使用する場合などに個数等を容易に入力することができる等、ユーザにとってより使いやすいものとすることができる。
【００８７】
図１２は、本発明の第４の実施例を示しており、光学情報読取器として、上記第１の実施例のバーコードリーダ２に代えて、ハンドヘルド型の二次元コードリーダ７１を採用したものである。この二次元コードリーダ７１も、本体部７２の下部に把持部７３を一体に有し、本体部７２内にＣＣＤエリアセンサなどからなる読取手段を備えていて、光学情報としての二次元コードＣをやや離れた位置から読取ることができるようになっている。尚、この場合、二次元コードリーダ７１の視野を、やや斜め下向きとすることが望ましい。
【００８８】
尚、上記したバーコードリーダ２にＰＤＡ３が結合されていることを検出するための結合センサとしては、磁気を利用した非接触式のセンサ（近接センサ等）を採用しても良く、また、非接触式でなくとも、マイクロスイッチ等も採用することができる。さらには、図示はしないが、結合検出手段としては、ＰＤＡ３の電源ＯＮ時に、ＰＤＡ３からバーコードリーダ２に向けてテスト信号を送信するように構成し、バーコードリーダ２は、そのテスト信号を受信したときに、ＰＤＡ３が結合されていると判断するように構成することも可能である。あるいは、コネクタ９の特定の信号端子の電気的特性（電圧あるいはインピーダンス）を検出し、その検出に基づいて、ＰＤＡ３が結合されたかどうかを判断するように構成しても良い。
【００８９】
その他、本発明は上記し且つ図面に示した各実施例に限定されるものではなく、例えばバーコードリーダ２の画像読取部８（読取手段）の構成としてはレーザ光を走査するタイプのものであっても良く、また、携帯情報端末器としても、市販のＰＤＡ３に限定されるものでもなく、データの処理及び入出力が可能な小型の情報端末装置であれば各種のものを適用できる。外部情報処理装置としても、各種のものを採用することができる。
【００９０】
そして、受台の構成としても、携帯情報端末器の出し入れが可能に構成すれば、比較的単純な箱状（枠状）に構成することも可能であり、外形（大きさ）の異なる複数種類の携帯情報端末器に対応した複数種類の受台４を製作し、その際、それら受台４とバーコードリーダ２との嵌合構造を共通化させるようにすれば、１種類のバーコードリーダ２に対して複数種類の携帯情報端末器を組合せることが容易となる等、本発明は要旨を逸脱しない範囲内で適宜変更して実施し得るものである。
【図面の簡単な説明】
【図１】本発明の第１の実施例を示すもので、光学情報読取装置の外観を示す側面図（ａ）及び斜視図（ｂ）
【図２】光学情報読取装置の電気的構成を概略的に示すブロック図
【図３】光学情報読取装置及びバーコードリーダ単体が外部情報処理装置と通信を行う様子を示す図
【図４】ＰＤＡを受台に保持させた状態で外部情報処理装置と接続した様子を示す図
【図５】テスト信号の送信に対して応答信号を受信した様子を示す図
【図６】バーコードリーダの実行する駆動電源の選択の手順を示すフローチャート
【図７】本発明の第２の実施例を示すもので、バーコードリーダの電気的構成を示すブロック図
【図８】電源系の詳細な構成を示す図
【図９】結合センサの配置の様子を示す側面図
【図１０】本発明の第３の実施例を示すもので、ＰＤＡを受台に保持させた状態の正面図
【図１１】受台の電気的構成を示すブロック図
【図１２】本発明の第４の実施例を示す図１（ｂ）相当図
【符号の説明】
図面中、１は光学情報読取装置、２はバーコードリーダ（光学情報読取器）、３はＰＤＡ（携帯情報端末器）、４，６１は受台、５，７２は本体部、６，７３は把持部、８は画像読取部（読取手段）、９はコネクタ、１０は制御部（結合検出手段，切替手段）、１１は通信Ｉ／Ｆ（交信手段）、１５は外部情報処理装置、１７は接続ケーブルＩ／Ｆ（外部有線通信手段）、１７ａはコネクタ、１８はケーブル（給電線）、１９は表示部、２０は操作部、２１はコネクタ、２２は制御部、２４は通信Ｉ／Ｆ、２９は第１のコネクタ、３０は第２のコネクタ、３１は信号変換回路、３２，３３は電源Ｉ／Ｆ、３４は電圧変換回路（電圧調整部）、４１は結合センサ（結合検出手段）、４３は第１のバスライン、４４は第２のバスライン、４５は信号線制御部、４６は給電端子、４７は電源出力端子、４８は電源ライン、４９，５７は切替スイッチ、５０はオン・オフスイッチ、５１，５８は電源スイッチ、５２，５９は電圧検出部、５３は充電制御回路（充電部）、５４は第２の電源端子、５５は第１の電源端子、５６は電源入力端子、６２は操作部、７１は二次元コードリーダ（光学情報読取器）を示す。
【図１】
2004005164.tif 000003
【図２】
2004005164.tif 000004
【図３】
2004005164.tif 000005
【図４】
2004005164.tif 000006
【図５】
2004005164.tif 000007
【図６】
2004005164.tif 000008
【図７】
2004005164.tif 000009
【図８】
2004005164.tif 000010
【図９】
2004005164.tif 000011
【図１０】
2004005164.tif 000012
【図１１】
2004005164.tif 000013
【図１２】
2004005164.tif 000014